(57)【要約】【課題】  作業機の燃料タンクへの給油作業を容易にする。【解決手段】  作業機の前面側に設けられ、給油時に開閉する燃料タンクｎの開閉カバー１であって、下端にヒンジ１ｃを有し、開いた状態でストッパ２によって下端付近がほぼ水平になっていて、その上に給油用のポリタンクｋを仮置きできるようになっており、上記開閉カバー１は一端にヒンジ１ｃが取り付けられた平らな台１ａと、該平らな台１ａの外側に固着されたカバー本体１ｂとからなり、カバー本体１ｂは両端の平坦部と中央の円弧状部とからなっている。【選択図】        図１
2005112146.tif 000002
【特許請求の範囲】
【請求項１】
作業機の前面側に設けられ、給油時に開閉する燃料タンクの開閉カバーであって、下端にヒンジを有し、開いた状態でストッパによって下端付近がほぼ水平になっていて、その上に給油用のポリタンクを仮置きできるようになっていることを特徴とする作業機の燃料タンクの開閉カバー。
【請求項２】
上記開閉カバーは一端にヒンジが取り付けられた平らな台と、該平らな台の外側に固着されたカバー本体とからなり、カバー本体は両端の平坦部と中央の円弧状部とからなる請求項１記載の作業機の燃料タンクの開閉カバー。
【発明の詳細な説明】
【技術分野】
【０００１】
本発明は作業機（油圧ショベル）の燃料タンクの開閉カバーに関するものである。
【背景技術】
【０００２】
図５は作業機（油圧ショベル）の側面図である。図において、ａはクローラ式の走行体、ｂは旋回台軸受、ｃは上部旋回体、ｄはブーム、ｅはアーム、ｆはバケット、ｇはキャノピである。上部旋回体ｃは旋回フレーム上にエンジン等を載せ、それを上部外殻ｈと下部外殻ｉで覆って形成している。
【０００３】
エンジンは通常ディーゼルエンジンが使用され、エンジンに軽油を供給するために、
上部旋回体ｃの前方に燃料タンクが設けられている。比較的小型の作業機（ミニショベル）の上記燃料タンクに軽油を供給する方法について説明する。
【０００４】
燃料タンクの給油口が外部に露出しているものもあるが、通常は燃料タンクは開閉カバーによって覆われており、給油する前にその開閉カバーを開き、給油口のキャップを外して、容量が20リッター程度のポリタンクによって給油する。
【０００５】
非特許文献1の第3ページには開閉カバーを開いた状態の写真が示されており、図6はその状態で人がポリタンクを持って給油しているところを示す説明図である。
【非特許文献１】油圧ショベル７０Ｚ型のカタログ、発行所  石川島建機株式会社、発行年月  １９９９年８月
【０００６】
なお、図6において図5と共通する部分については同一の符号を付しており重複した説明は省略する。図6において、ｎは燃料タンクであり、ｎ１は給油口である。ｊは燃料タンクの開閉カバーで、実線で開いた状態を示し、２点鎖線で閉じた状態を示している。ｋは容量が20リッター程度のポリタンク、ｍは給油用のフレキシブルノズル、ｐは作業員である。
【０００７】
給油は次のように行う。まず開閉カバーｊを図の実線のように開き、図示しないステーロッドを引き上げて開閉カバーを開いた状態に固定する。次に燃料タンクｎの給油口ｎ１のキャップを取り外す。次にポリタンクｋを持ちあげて片手で保持し、他方の手でフレキシブルノズルｍを給油口ｎ１に差し込む。差し込み終わってから他方の手をフレキシブルノズルｍから離して、図に示すようにポリタンクｋの底部を持ち、底部を徐々に持ち上げながら給油を行う。燃料タンクｎの大きさが、例えば30リッター程度だと1回給油するのにこの作業を2回行う必要がある。
【発明の開示】
【発明が解決しようとする課題】
【０００８】
以上説明したようにポリタンクｋを用いて、給油するには満タン時に１７キログラムにもなるポリタンクｋを片手で持ってフレキシブルノズルｍを燃料タンクｎの給油口ｎ１に差し込み、その手を持ちかえてポリタンクｋの底部を持つようにするには大きな力を必要とし、力の弱い人では大変苦労する。
【０００９】
さらに、１日あたりの給油回数を減らすために燃料タンクｎの容量を大きくすることが望まれているが、上部旋回体ｃは小型なので、燃料タンクｎを横方向に大きくすることはできず、高さを高くせざるをえない。そのため給油口ｎ１の位置が高くなり、ますます人手による給油が困難になる。
【００１０】
本発明は従来技術のかかる問題点に鑑み案出されたもので、給油時にポリタンクｋを、開いた開閉カバー上に仮置きし、その状態でフレキシブルノズルｍを給油口ｎ１に差し込み、姿勢を建て直してポリタンクｋを両手で持ち上げるような給油作業をすることができる作業機の燃料タンクの開閉カバーを提供することを目的とする。
【課題を解決するための手段】
【００１１】
上記目的を達成するため本発明の作業機の燃料タンクの開閉カバーは作業機の前面側に設けられ、給油時に開閉する燃料タンクの開閉カバーであって、下端にヒンジを有し、開いた状態ではストッパによって下端付近がほぼ水平になっていて、その上に給油用のポリタンクを仮置きできるようになっている。
【００１２】
上記開閉カバーは一端にヒンジが取り付けられた平らな台と、該平らな台の外側に固着されたカバー本体とからなり、カバー本体は両端の平坦部と中央の円弧状部とからなるのが好ましい。
【００１３】
次に本発明の作用を説明する。燃料タンクに給油するために開閉カバーを開くと、開いた状態ではストッパによって下端付近がほぼ水平になっている。次に燃料タンクの給油口のキャップを外す。次にポリタンクを持ち上げ、上記開閉カバーのほぼ水平になっている部分にポリタンクを仮置きする。次にポリタンクについているフレキシブルノズルの先端を燃料タンクの給油口に差し込む。次にポリタンクを両手で持ち、徐々に底部を持ち上げ、ポリタンクに入っている軽油を燃料タンクに流入させて給油が終わる。燃料タンクの容量がポリタンクの２倍程度あるとすれば上記作業を2回行う。
【００１４】
給油作業が完了したら、給油口のキャップを閉め、続いて開閉カバーを閉じる。
【発明の効果】
【００１５】
このように本発明によれば、給油作業のときに燃料タンクの給油口にフレキシブルノズルを差し込む際に、ポリタンクが開閉カバーの上に仮置きしてあるので、片手でポリタンクを持っている必要がなく、差し込み作業が容易である。さらに、開閉カバーの上に仮置きしてあるポリタンクを持ちあげ、徐々に底部を上に上げる際にも、体勢を整えてからすることができるので、無理な姿勢をとる必要がなく安全性が向上する。
【発明を実施するための最良の形態】
【００１６】
以下、本発明の1実施形態について図面を参照しつつ説明する。図１は作業機の側面図であり、（Ａ）は燃料タンクの開閉カバーが閉じた状態を示しており、（Ｂ）は開閉カバーが開いた状態を示している。図２は作業機の部分斜視図であり、燃料タンクの開閉カバーが開き、かつ、カバー上にポリタンクを載置した状態を示している。図３は作業機の側面図で、開閉カバー上のポリタンクを給油のため作業員が持ち上げようとしている図である。図４は開閉カバー１の下端付近の図面であり、（A）は内側から見た正面図、（B）は側面図である。これらの図において、図５、図６と共通する部分は同一の符号を付しており、重複した説明は省略する。
【００１７】
これらの図において、1は燃料タンクｎの開閉カバーである。開閉カバー１は作業機の上部旋回体ｃの前面側に設けられていて、給油時に開閉する。開閉カバー1は一端にヒンジ１ｃが設けられた平らな台１ａと、平らな台１ａの外側に固着されたカバー本体１ｂとからなる。カバー本体１ｂの両端は平坦部であり、中央は円弧状部になっている。開閉カバー１は下端にヒンジ１ｃを有し、開いた状態でストッパ２によって、下端付近がほぼ水平になっていて、その上に給油用のポリタンクｋを仮置きできるようになっている。
【００１８】
図４示すようにポリタンクｋを仮置きする平らな台１ａは一端が外側に鋭角に折り曲げられて、その先端にヒンジ１ｃが取り付けられており、ヒンジ1 ｃの他方の板１ｄは上部旋回体の下部外殻ｉにボルトナットで固着されている。平らな台１ａの他端は内側に直角に折り曲げられている。平らな台１ａの外側にカバー本体１ｂの基端が固着されている。
【００１９】
２はストッパであり、開閉カバー1の下端付近が，図1（Ｂ）に示すように、垂直から８０°以上開かないようにする。ストッパ２はクランク形状のロッド２ａと溝型鋼製のガイドレール２ｂとからなる。ロッド２ａの基端は平らな台１ａの外側に設けられた２個のブラケット２ｄに枢着されており、先端には２個のカラー２ｃが取り付けられていて、ガイドレール２ｂの一方の面に穿設された溝２ｅ内に挿入されて、溝２ｅ内をスライド可能になっている。
【００２０】
次に本実施形態の作用を説明する。燃料タンクｎに給油するため開閉カバー1を開くと、開いた状態ではストッパ２によって下端付近が垂直から80°になるようになっている。
【００２１】
次に燃料タンクｎの給油口ｎ１のキャップを外す。次にポリタンクｋを持ち上げ，上記開閉カバー1のほぼ水平になっている部分に、ポリタンクｋを仮置きする。次にポリタンクｋについているフレキシブルノズルｍの先端を燃料タンクｎの給油口ｎ１に差し込む。次にポリタンクｋを両手で持ち，徐々に底部を持ち上げてポリタンクｋに入っている軽油を燃料タンクｎに流入させる。燃料タンクｎの容量がポリタンクｋの２倍程度あるとすれば、上記作業を2回行う。給油作業が完了すると給油口ｎ１のキャップを閉め、続いて開閉カバー1を閉じる
【００２２】
このように本発明によれば、給油作業のときに燃料タンクｎの給油口ｎ１にフレキシブルノズルｍを差し込む際に、ポリタンクｋが開閉カバー１の上に仮置きしてあるので、片手でポリタンクｋを持っている必要がなく、差し込み作業が容易である。さらに、開閉カバー１の上に仮置きしてあるポリタンクｋを持ちあげ、徐々に底部を上に上げる際にも、体勢を整えてからすることができるので、無理な姿勢をとる必要がなく安全性が向上する。
【００２３】
本発明は以上述べた実施形態に限定されるものではなく発明の要旨を逸脱しない範囲で種々の変更が可能である。
【図面の簡単な説明】
【００２４】
【図１】本発明の開閉カバーを取り付けた作業機の側面図であり、（Ａ）は開閉カバーが閉じた状態を示しており、（Ｂ）は開いた状態を示している。
【図２】本発明の開閉カバーを取り付けた作業機の部分斜視図であり、開閉カバーが開いた状態を示している。
【図３】本発明の開閉カバーを取り付けた作業機の側面図であり、カバー上に仮置きしたポリタンクを持ち上げようとしている状態を示している。
【図４】開閉カバーの下端付近の図面であり、（Ａ）は内側から見た正面図であり、（Ｂ）は側面図である。
【図５】作業機（油圧ショベル）の側面図である。
【図６】従来の開閉カバーを取り付けた作業機の側面図であり、給油している状態を示している。
【符号の説明】
【００２５】
１      開閉カバー
２      ストッパ
１ａ    平らな台
１ｂ    カバー本体
１ｃ    ヒンジ
【図１】
2005112146.tif 000003
【図２】
2005112146.tif 000004
【図３】
2005112146.tif 000005
【図４】
2005112146.tif 000006
【図５】
2005112146.tif 000007
【図６】
2005112146.tif 000008